(57)【要約】【課題】複数の条件に応じた複数の表示スケジュールを予め設定し、それらの条件に応じた最終的な表示スケジュールを自動的に決定できるようにする。【解決手段】表示制御装置１０において、ＣＰＵ１１は、表示コンテンツと当該表示コンテンツを表示する表示時間とを含み夫々に優先順位が設定された複数の表示スケジュールを設定し、ＣＰＵ１１は、複数の表示スケジュールの表示時間に重複する重複部分がある場合、その重複部分については、前記各表示スケジュールに設定された優先順位に基づいて優先順位の高い表示スケジュールに設定されている表示コンテンツを表示させる最終的な表示スケジュールを決定する。【選択図】図２
2018133098.tif 000002
【特許請求の範囲】
【請求項１】
コンテンツ情報毎に、コンテンツ情報の出力時間帯と、当該コンテンツ情報の出力条件と、各コンテンツ情報間の優先順位と、が対応付けて記憶された記憶手段を参照することで、現在条件が前記出力条件に該当するコンテンツ情報を抽出する抽出手段と、
前記抽出手段で抽出されたコンテンツ情報が複数存在する場合は、出力時間帯が重複する重複時間帯では優先順位の高いコンテンツ情報を前記重複時間帯で出力すべきコンテンツ情報として選択して出力するよう制御する出力制御手段と、
を具備したことを特徴とする出力制御装置。
【請求項２】
前記抽出手段は、前記出力時間帯とは異なる条件からなる出力条件を、前記現在条件と比較することで、前記現在条件が前記出力条件に該当するコンテンツ情報を抽出する、
ことを特徴とする請求項１に記載の出力制御装置。
【請求項３】
前記出力制御手段は、前記現在条件でコンテンツ情報を出力する際は、前記抽出手段で抽出されないコンテンツ情報は出力対象とせずに、前記抽出手段で抽出されたコンテンツ情報を出力対象とし、出力対象のコンテンツ情報が複数存在する場合は、出力時間帯が重複しないコンテンツ情報が存在する時間帯では当該コンテンツ情報を出力し、出力時間帯が重複する重複時間帯では優先順位の高いコンテンツ情報を選択して出力する、
ことを特徴とする請求項１又は２に記載の出力制御装置。
【請求項４】
現在日、又は現在環境を現在条件として取得する取得手段と、
を更に具備し、
前記抽出手段は、前記取得手段で取得した現在条件に該当するコンテンツ情報を抽出する、
ことを特徴とする請求項１〜３の何れかに記載の出力制御装置。
【請求項５】
前記出力条件は、曜日条件又は特定日条件の出力日条件であり、
前記抽出手段は、現在条件としての現在日が前記出力日条件に該当するコンテンツ情報を抽出する、
ことを特徴とする請求項４に記載の出力制御装置。
【請求項６】
前記出力日条件は、曜日条件、又は毎月の特定日条件、又は特定日条件、又は無条件、の何れかの条件を含む、
ことを特徴とする請求項５記載の出力制御装置。
【請求項７】
前記出力条件は、天気条件又は気温条件の出力環境条件であり、
前記抽出手段は、現在条件としての現在環境が前記出力環境条件に該当するコンテンツ情報を抽出する、
ことを特徴とする請求項４に記載の出力制御装置。
【請求項８】
前記出力環境条件は、天気条件、又は気温条件、又は無条件、の何れかの条件を含む、
ことを特徴とする請求項７記載の出力制御装置。
【請求項９】
出力制御装置のコンピュータを制御するためのプログラムであって、
前記コンピュータを、
コンテンツ情報毎に、コンテンツ情報の出力時間帯と、当該コンテンツ情報の出力条件と、各コンテンツ情報間の優先順位と、が対応付けて記憶された記憶手段を参照することで、現在条件が前記出力条件に該当するコンテンツ情報を抽出する抽出手段、
前記抽出手段で抽出されたコンテンツ情報が複数存在する場合は、出力時間帯が重複する重複時間帯では優先順位の高いコンテンツ情報を前記重複時間帯で出力すべきコンテンツ情報として選択して出力するよう制御する出力制御手段、
として機能させるためのプログラム。
【請求項１０】
コンテンツ情報を出力する出力制御方法であって、
複数のコンテンツ情報毎に、コンテンツ情報の出力時間帯と、当該コンテンツ情報の出力条件と、各コンテンツ情報間の優先順位と、が対応付けて記憶された記憶手段を参照することで、現在条件が前記出力条件に該当するコンテンツ情報を抽出する抽出ステップと、
前記抽出ステップで抽出されたコンテンツ情報が複数存在する場合は、出力時間帯が重複する重複時間帯では優先順位の高いコンテンツ情報を前記重複時間帯で出力すべきコンテンツ情報として選択して出力するよう制御する出力制御ステップと、
を有することを特徴とする出力制御方法。
【発明の詳細な説明】
【技術分野】
【０００１】
本発明は、出力制御装置、プログラム及び出力制御方法に関する。
【背景技術】
【０００２】
店舗における商品等の広告表示として、広告内容を紙媒体に印刷して売り場へ掲示することが行われているが、近年、ディスプレイ装置による広告用のコンテンツの表示が盛んになりつつある。例えば、特許文献１には、スケジューリング機能部を有する表示制御装置が開示されている。スケジューリング機能部は、複数枠の広告を１サイクルとして、広告１枠当たり所定時間間隔で切り替えてディスプレイ装置に表示させる場合において、優先度の高い広告から順にそれらの枠に割り当てる機能を有する。
【先行技術文献】
【特許文献】
【０００３】
【特許文献１】特開２００９−１２２７１９号公報
【発明の概要】
【発明が解決しようとする課題】
【０００４】
しかしながら、従来の表示制御装置では、複数枠の広告への割り当てる順番を決定することはできても、複数の表示条件に応じて表示内容が異なっている表示スケジュールを予め登録し、それらの条件に応じた最終的なスケジュールを自動的に決定することはできなかった。
【０００５】
本発明の課題は、複数のコンテンツ情報の出力を、各コンテンツの出力条件に応じて選択して出力できるようにすることである。
【課題を解決するための手段】
【０００６】
請求項１は、コンテンツ情報毎に、コンテンツ情報の出力時間帯と、当該コンテンツ情報の出力条件と、各コンテンツ情報間の優先順位と、が対応付けて記憶された記憶手段を参照することで、現在条件が前記出力条件に該当するコンテンツ情報を抽出する抽出手段と、前記抽出手段で抽出されたコンテンツ情報が複数存在する場合は、出力時間帯が重複する重複時間帯では優先順位の高いコンテンツ情報を前記重複時間帯で出力すべきコンテンツ情報として選択して出力するよう制御する出力制御手段と、を具備したことを特徴とする。
【発明の効果】
【０００７】
本発明によれば、複数のコンテンツ情報の出力を、各コンテンツの出力条件に応じて選択して出力することができる。
【図面の簡単な説明】
【０００８】
【図１】本発明の実施形態に係る表示制御システムの全体構成例を示す図である。
【図２】本発明の実施形態に係る表示制御装置の機能構成を示すブロック図である。
【図３】図２の表示部に表示される電子ＰＯＰスケジューラの表示画面を示す図である。
【図４】図２の表示部に表示されるレイヤ表示画面を示す図である。
【図５】レイヤの説明図である。
【図６】キャビネットによるスケジュール指定について説明するための図である。
【図７】プレイリストおよび表示スケジュールの説明図である。
【図８】図６の指定の場合に対応する表示画像を示す図である。
【図９】発明の実施形態に係る店舗端末の機能構成を示すブロック図である。
【図１０】発明の実施形態に係るディスプレイ装置の機能構成を示すブロック図である。
【図１１】レイヤが指定された際の表示制御処理のフローチャートである。
【図１２】キャビネット指定時のコンテンツ自動生成フローチャートである。
【図１３】キャビネットによるスケジュール指定について説明するための図である。
【図１４】図１３の指定の場合に対応する表示画像を示す図である。
【図１５】店舗に設置されたディスプレイ装置にコンテンツが表示されている様子を示す図である。
【図１６】変形例に係るレイヤの説明図である。
【発明を実施するための形態】
【０００９】
以下、本発明の実施の形態を図面に基づいて説明する。
【００１０】
図１に示す表示制御システム１は、商品等の広告表示を行うための表示システムである。表示制御システム１は、図１に示すように、表示制御装置１０と、店舗端末３０と、複数のディスプレイ装置４０とを備える。それらの機器は通信ネットワークＮを介して接続されている。通信ネットワークＮは、専用線や既存の一般公衆回線を利用して構築された通信ネットワークＮであり、ＬＡＮ（Local Area Network）やＷＡＮ（Wide Area Network）等の様々な回線形態を適用することが可能である。また、通信ネットワークＮには、例えば、無線ＬＡＮ（Local Area Network）、電話回線網、ＩＳＤＮ回線網、専用線、移動体通信、通信衛星回線、ＣＡＴＶ回線網等の各種通信ネットワーク網と、ＩＰネットワーク、ＶｏＩＰ（Voice over Internet Protocol）ゲートウェイ、インターネットサービスプロバイダ等が含まれる。
【００１１】
先ず、図２を参照して、表示制御装置１０の機能構成を説明する。表示制御装置１０は、図２に示すように、機器の全体的な制御を行うＣＰＵ（Central Processing Unit）１１と、複数の操作キーを有する入力部１２と、ＣＰＵ１１に作業用のメモリ空間を提供するＲＡＭ（Random Access Memory）１３と、表示部１４と、ＣＰＵ１１が実行する制御プログラムや制御データを格納した記憶部１５と、通信部１６とを備える。ＣＰＵ１１、入力部１２、ＲＡＭ１３、表示部１４、記憶部１５、通信部１６は、バス１７を介して接続されている。
【００１２】
入力部１２は、カーソルキー、文字、数字入力キー及び各種機能キーなどを備えたキーボードを含む構成とし、操作者による各キーの押下入力を受け付けてその操作情報をＣＰＵ１１に出力する。また、入力部１２は、マウス等のポインティングデバイスを含み、位置入力を受け付けて操作情報としてＣＰＵ１１に出力する。
【００１３】
ＲＡＭ１３は、揮発性のメモリである。また、ＲＡＭ１３は、実行される各種プログラムやこれら各種プログラムに係るデータ等を格納するワークエリアを有する。
【００１４】
表示部１４は、ＬＣＤ（Liquid Crystal Display）等で構成され、ＣＰＵ１１から入力される情報に応じて各種表示を行う。
【００１５】
記憶部１５は、磁気記録媒体を有するＨＤＤ（Hard Disk Drive）、不揮発性の半導体メモリ等により構成される。記憶部１５には、ＣＰＵ１１で実行されるシステムプログラムや表示制御処理プログラム、これらのプログラムの実行に必要なデータ等が記憶されている。表示制御処理プログラムには、図２に示すように、電子ＰＯＰスケジューラ１５４、電子ＰＯＰクリエイタ１５６が含まれる。それらのプログラムは、コンピュータ読み取り可能なプログラムコードの形態で記憶部１５に格納されている。ＣＰＵ１１は、当該プログラムコードに従った動作を逐次実行する。
また、記憶部１５には、図２に示すように、ＰＯＰデータベース１５１、キャビネットデータベース１５２、商品マスタ・棚／キャビネット情報データベース１５３、電子ＰＯＰ用データベース１５５、画像素材フォルダ１５７、スケジュールファイルフォルダ１５８、画像ファイルフォルダ１５９が設けられている。
【００１６】
ＰＯＰデータベース１５１は、ＰＯＰデータが格納されているデータベースである。ＰＯＰデータとは、ＰＯＰ広告（Point Of Purchase Advertising）（以下、ＰＯＰと略記する）のレイアウトを示すレイアウトデータである。ＰＯＰデータは、例えば、レイアウト名称、用紙サイズからなるヘッダ部分と、用紙方向、配置する項目、項目が配置される座標、項目の書式設定（フォント、フォントサイズ、色等）、文例等のレイアウトに関する情報が格納されているレイアウト部分と、から構成される印刷用のデータである。このＰＯＰデータは、例えば、ＧＤＩ（Graphics Device Interface）を介してプリンタにて印刷することが可能である。ＰＯＰデータベース１５１は、商品コードとＰＯＰデータとを対応付けて格納している。ここで、ＰＯＰデータベース１５１は、商品広告データとしてのＰＯＰデータを記憶する記憶手段として機能する。
【００１７】
キャビネットデータベース（以下、単にキャビネットもという。）１５２は、商品データ（商品コードおよびＰＯＰデータのレイアウト名称）を含む情報が格納されるデータベースである。内容は後述する。
【００１８】
商品マスタ・棚／キャビネット情報データベース１５３は、商品マスタテーブル（ＴＢＬ）、および、棚／キャビネット情報ＴＢＬが格納されているデータベースである。商品マスタＴＢＬは、商品に関する情報が格納されたＴＢＬである。商品マスタＴＢＬは、商品コード、商品名、販売価格、棚番号等の項目を有する。商品コードは、各商品を識別するコード番号である。商品名は、商品コードの商品の商品名である。棚番号はその商品が陳列される棚の番号である。
【００１９】
棚／キャビネット情報ＴＢＬは、店舗端末３０が設置されている店舗における売り場の棚と、後述する電子ＰＯＰスケジューラ１５４にて表示されるキャビネットとの対応関係を示すＴＢＬである。すなわち、棚の棚番号とキャビネットのキャビネット番号とは、棚／キャビネット情報ＴＢＬにおいて対応付けられている。キャビネットの内容については後述する。また、棚にはディスプレイ装置４０が設置されており、棚／キャビネット情報ＴＢＬにおいて、棚番号とディスプレイ装置４０の番号とが、紐付けられている。
【００２０】
電子ＰＯＰ用データベース１５５は、電子ＰＯＰスケジューラ１５４によって作成されたスケジュールのデータが格納されるデータベースである。内容は後述する。
【００２１】
電子ＰＯＰスケジューラ１５４は、ディスプレイ装置４０にコンテンツ表示の時間割を設定するプログラムである。電子ＰＯＰスケジューラ１５４は、ＷＥＢアプリケーションであり、店舗端末３０からもＷＥＢブラウザ３５２を介して閲覧または／および操作することが可能である。
【００２２】
次に、図３〜図８を参照して、電子ＰＯＰスケジューラ１５４について具体的に説明する。図３に示すように、電子ＰＯＰスケジューラ１５４を起動した際の表示画面２１には、店舗選択欄２１１と、日付選択欄２１２と、レイヤ選択欄２１３と、スケジュール表示欄２１４と、閉じるボタン２１９と、が設けられている。店舗選択欄２１１は、表示したい店舗を選択する欄である。日付選択欄２１２は、表示したい日付を選択する欄である。レイヤ選択欄２１３は、表示するレイヤを選択する欄である。スケジュール表示欄２１４は、各ディスプレイ装置４０についてのスケジュールを表示する欄である。スケジュール表示欄２１４は、表示時刻を表示する時刻表示部２１４Ａと、個々のディスプレイ装置４０のスケジュールを表示する個別スケジュール部２１４Ｂと、で構成される。閉じるボタン２１９は、画面を閉じるためのボタンである。
この実施の形態において、「レイヤ」とは、図５で後述するように、表示コンテンツと、その表示コンテンツを表示する表示時間とを含み、夫々に優先順位が設定されている表示スケジュールを意味する。
【００２３】
図３の表示画面２１の例では、店舗選択欄２１１、日付選択欄２１２の選択に従い、店舗Ａの２０１３年４月１日の各ディスプレイ装置４０についてのスケジュールが表示されている。また、レイヤ選択欄２１３にて全てのレイヤが選択されていることに従い、当日のすべてのレイヤが反映されて各ディスプレイ装置４０のスケジュールが表示される。「レイヤ」については後述する。
【００２４】
図３の表示画面２１にて、ディスプレイ装置名称の「衣料品棚」の欄をクリックすると、ディスプレイ装置名称の左側のチェックボックスが選択状態となるとともに、図４のレイヤ表示画面２２に移行するように構成されている。
【００２５】
図４のレイヤ表示画面２２には、店舗選択欄２２１と、日付選択欄２２２と、レイヤ部２２３と、キャビネット選択欄２２４と、保存ボタン２２５と、削除ボタン２２６と、閉じるボタン２２９と、が設けられている。店舗選択欄２２１は、表示したい店舗を選択する欄である。日付選択欄２２２は、表示したい日付を選択する欄である。レイヤ部２２３は、表示時刻を表示する時刻表示部２２３Ａと、個々のレイヤを示す個別レイヤ部２２３Ｂと、個別レイヤ部２２３Ｂの全てのレイヤが反映された最終的なスケジュールを示す合成レイヤ部２２３Ｃと、で構成される。図４のレイヤ表示画面２２の例では、店舗Ａの２０１３年４月１日のディスプレイ装置４０（装置名称：「衣料品棚」）についてのスケジュールが表示されている。キャビネット選択欄２２４は、後述する要領にて、キャビネットを選択する欄である。保存ボタン２２５は、編集された内容でデータ更新するためのボタンである。削除ボタン２２６は、レイヤ部２２３の左側のチェックボックスが選択されているレイヤのスケジュールを削除するためのボタンである。
【００２６】
次に、図４、図５を参照して、レイヤによる表示制御について説明する。レイヤとは、表示の優先順位が設けられている表示スケジュールをいう。レイヤとして、毎日指定レイヤ、毎週指定レイヤ、毎月指定レイヤ、特定日指定レイヤが用意されている。ここで、毎日指定、毎週指定、毎月指定、特定日指定は、そのレイヤに設定されている表示スケジュールを表示するか否かを決定する表示条件である。毎日指定レイヤとは、日付指定はなく、毎日、そのスケジュールに設定されるレイヤである。換言すると、無条件指定のレイヤである。毎週指定レイヤとは、毎週ある曜日になると、そのスケジュールに設定されるレイヤである。毎月指定レイヤとは、毎月ある日になると、そのスケジュールに設定されるレイヤである。毎月指定においては、例えば表示条件として毎月５日、毎月１０日等の条件が指定される。特定日指定レイヤとは、ある特定の日になると、そのスケジュールに設定されるレイヤである。表示の優先順位は、毎日指定レイヤが最も低く設定され、毎週指定レイヤ、毎月指定レイヤ、特定日指定レイヤの順に高くなっていくように設定される。
【００２７】
図５において、毎日指定レイヤには、毎日という表示条件にて、表示時間は９時から１９時まで、価格１９８０円の商品フリースというスケジュールが設定されている。毎週レイヤには、毎週水曜日という表示条件にて、表示時間は１１時から１７時まで、価格１９８０円の商品フリースを１０％引きというスケジュールが設定されている。毎月指定レイヤには、毎月１５日という表示条件にて、表示時間は９時から１２時まで、価格１９８０円の商品フリースを１５％引きというスケジュールが設定されている。特定日指定レイヤには、４月１日という表示条件にて、表示時間は１２時から１６時まで、価格１９８０円の商品フリースを２０％引きの条件というスケジュールが設定されている。
【００２８】
図５において、本日が２０１３年４月１日（月曜日）であると仮定する。４月１日（月曜日）は、特定日指定という表示条件に合致する。また、特定日指定レイヤが相対的に最優先であるので、１２時から１６時までは、特定日指定レイヤの設定内容が採用される。次に、本日は１５日ではなく、水曜日でもないので、毎月指定レイヤ、毎週指定レイヤの表示条件とは合致せず、それらの設定内容は採用されない。次に、４月１日（月曜日）は、毎日（無条件）という表示条件に合致するので、残された時間帯である、９時から１２時、および、１６時から１９時までは、毎日指定レイヤの設定内容が採用される。
【００２９】
ここで、図４のレイヤ表示画面２２におけるレイヤ部２２３には、毎週指定レイヤ、毎月指定レイヤ、特定日指定レイヤは、それぞれ１個のみ表示されているが、複数個表示させて、それぞれ設定することが可能である。例えば、図４において、毎週指定レイヤにおいては、毎週水曜日に加えて毎週火曜日という表示条件のレイヤを設けることができ、また、毎月指定レイヤにおいては、毎月１５日に加えて毎月５日という表示条件のレイヤを設けることができ、また、特定日指定レイヤにおいては、４月１日（月曜日）に加えて４月７日（日曜日）という表示条件のレイヤを設けることが可能である。
【００３０】
以上のように、表示の優先順位が設けられているレイヤの概念を導入し、複数のレイヤによりスケジュールを設定する構造により、毎週特定の曜日、毎月特定の日、あるいは、特定日において表示情報（販売商品、販売価格等）を異ならせるといった小売業における業務慣習に対応して、ディスプレイ装置４０の表示スケジュールを設定することができる。たとえば、毎週月曜日には、表示内容Ａの表示を行う、毎月１５日には表示内容Ｂの表示を行う、２月１４日から２月１４日まではバレンタインデー対応として表示内容Ｃの表示を行うといった設定をすることが可能となる。また、ユーザはレイヤに対してスケジュールを設定するだけで、自動的に最終的な当日のスケジュールを合成することができるので、最終的な表示スケジュール（本表示スケジュールという。）の作成が容易となる。
【００３１】
次に、キャビネットによるスケジュール指定について、図４、図６を参照して説明する。図４のレイヤ表示画面２２では、店舗Ａの２０１３年４月１日のディスプレイ装置４０（装置名称：「衣料品棚」）についてのスケジュールが表示されているのであるが、いま、図４のレイヤ表示画面２２にて、ディスプレイ装置名称として、魚棚が指定されていると仮定し、毎日指定レイヤのチェックボックスがチェックされていると仮定する。その際、キャビネット選択欄２２４のドロップダウンリストと選択ボタンを操作すると、図６に示すようなキャビネットを指定する表示画面２３に移行する。
【００３２】
図６において、キャビネットを指定する表示画面２３には、キャビネット大部門表示欄２３１と、キャビネット名表示欄２３２と、プレビュー表示欄２３３と、個別商品欄２３４と、抽出条件指定欄２３５と、画像指定ボタン２３６と、表示時間指定欄２３７と、選択ボタン２３８と、閉じるボタン２３９と、が設けられている。キャビネット大部門表示欄２３１は、例えば、青果、精肉、鮮魚、加食、菓子等のキャビネットの大部門を選択するための欄である。キャビネット名表示欄２３２は、キャビネット大部門の直下の個別のキャビネットを選択するための欄である。例えば、魚キャビネット、魚卵キャビネット、刺身キャビネット、貝キャビネット等を選択することができる。プレビュー表示欄２３３は、個別商品のＰＯＰ画像のイメージをプレビュー表示するための欄である。個別商品欄２３４は、商品データ（商品コードおよびＰＯＰデータのレイアウト名称）と、大部門、産地・生産者等の各種情報と、が格納されている。また、個別商品欄２３４にはチェックボックスを備えている。抽出条件指定欄２３５は、例えば、企画（特売）指定、すなわち、企画商品（特売商品）のみコンテンツを作成する旨の指定、あるいは、タイムセール指定、すなわち、タイムセール商品のみコンテンツを作成する旨の指定を行うチェックボックスを備えている。
【００３３】
ここで、前述したキャビネットデータベース１５２の内容を説明する。キャビネットデータベース１５２には、複数のキャビネット番号に対応する複数のキャビネットＴＢＬを備えている。キャビネットＴＢＬには、上記した、魚キャビネットＴＢＬ、魚卵キャビネットＴＢＬ、刺身キャビネットＴＢＬ、貝キャビネットＴＢＬ等を含む。キャビネットデータベース１５２は、商品データ（商品コードおよびＰＯＰデータのレイアウト名称）が格納される。
【００３４】
画像指定ボタン２３６は、キャビネットに画像データを指定するためのボタンである。このボタンを使用することで、キャビネットは、ＰＯＰデータに関する商品データを指定すること以外に、その商品に対応する単体の画像、および、予め作成されているプレイリストをキャビネットに指定することができる。例えば、画像素材フォルダ１５７に格納されている単体の画像、魚のプレイリスト、魚卵のプレイリスト、野菜のプレイリスト、精肉のプレイリスト、紳士服用品のプレイリスト等を該当するキャビネットに指定することができる。
【００３５】
ここで、プレイリストとは、複数画像を表示するに当たって、画像の表示時間と表示順序を定義したものをいう。図７には、プレイリスト２４が模式的に示されている。画像１、画像２・・・画像ｎがそれぞれ時間ｔ１、ｔ２・・・ｔｎの表示時間で連続して表示される。また、表示スケジュール（以下、単にスケジュールともいう。）とは、表示情報を１日の任意の時間帯に貼り付けたものをいう。図７には、表示スケジュール２５が模式的に示されている。また、表示情報とは、表示対象となる個以上の画像または／および１個以上のプレイリスト２４に関する情報、文字、記号等の情報をいう。また、１日の任意の時間帯の情報を表示時間帯情報という。
【００３６】
表示時間指定欄２３７は、後述するコンテンツの表示時間を指定するための欄である。デフォルトチェックボックスにチェックを入れると、コンテンツの各画像の表示時間は例えば、デフォルト値：６０秒に指定される。また、ドロップダウンリストを用いてその表示時間を変更することができる。
【００３７】
選択ボタン２３８はスケジュールの所定レイヤにキャビネットを指定するためのボタンである。具体的には、個別商品欄２３４の所定のチェックボックスにチェックを入れた状態にて、選択ボタン２３８が押下されることにより、指定されているディスプレイ装置４０に対してスケジュールの所定レイヤに所定キャビネットが指定される。例えば、図６において、ディスプレイ装置名称：魚棚に対応して、ユーザにより、表示したい商品のチェックボックスのチェックが入れられて、選択ボタン２３８が押下されると、スケジュールの所定レイヤに魚キャビネットが指定される。
【００３８】
電子ＰＯＰスケジューラ１５４では、以上説明した処理を繰り返してディスプレイ装置４０毎のスケジュールが作成される。作成したスケジュールのデータは電子ＰＯＰ用データベース１５５に格納される。
【００３９】
ここで、前述した電子ＰＯＰ用データベース１５５の内容を説明する。電子ＰＯＰ用データベース１５５は、電子ＰＯＰスケジューラ１５４によって作成されるスケジュールのデータが格納されるデータベースである。電子ＰＯＰ用データベース１５５は、再生予定ＴＢＬを含む。再生予定ＴＢＬは、予定ＩＤ、予定タイトル、レイヤＩＤ、キャビネットＩＤ、日付、開始時刻、終了時刻、作成日時、作成者ＩＤの項目を有する。予定ＩＤは、予定ＩＤは、予定（スケジュール）の番号である。作成日時は、その予定を作成した日時である。作成者ＩＤは、その予定を作成した者の番号である。予定タイトルは、予定の題名である。レイヤＩＤは、キャビネットが指定されたレイヤの番号である。キャビネットＩＤとは、キャビネットによるスケジュール指定において指定されたキャビネットの番号である。日付、開始時刻、終了時刻は、それぞれ、その予定の日付、開始時刻、終了時刻である。
【００４０】
このように、キャビネットによるスケジュール指定、具体的には、例えば、図６に示すように、魚キャビネットをディスプレイ装置：魚棚に指定することにより、キャビネットに格納されている商品データに対応する商品広告データに基づいて自動的にコンテンツと表示時間帯情報とからなるスケジュールを作成することができる。
【００４１】
電子ＰＯＰクリエイタ１５６は、コンテンツを自動生成するプログラムである。具体的には、電子ＰＯＰクリエイタ１５６は、電子ＰＯＰスケジューラ１５４で作成されたディスプレイ装置毎のスケジュールのデータを参照して、ディスプレイ装置毎のスケジュールファイルおよび画像ファイルを生成する。
【００４２】
スケジュールファイルは、或るディスプレイ装置で表示されるコンテンツとコンテンツの表示時間を指示するファイルである。スケジュールファイルは、テキストファイル形式になっている。異なるキャビネットが１日のスケジュール中に指定された場合には、複数のスケジュールファイルが作成される。例えば、図５に示す４月１日のスケジュールにおいては、３個のスケジュールファイルが作成される。
【００４３】
スケジュールファイルのファイル名とファイルの内容は、例えば次の様になっている。
［ファイル名］＝店舗番号４桁，ディスプレイ装置番号（３桁），スケジュールＩＤ（８桁）．ｓｃｈ
［ファイルの内容］＝０９００−１０００＿６０＿Ａ１．ｊｐｇ，Ａ２．ｊｐｇ，Ａ３．ｊｐｇ．
【００４４】
ここで、「０９００」は、表示開始時刻（９時００分）、「１０００」は表示終了時刻（１０時００分）を表している。「６０」は、各画像ファイルによる画像を６０秒表示すべきことを示している。Ａ１．ｊｐｇ，Ａ２．ｊｐｇ，Ａ３．ｊｐｇ．は、画像情報、および、画像の連続する順序情報である。このスケジュールファイルでは、９時００分から１０時００分までの１時間は、画像「Ａ１．ｊｐｇ」、「Ａ２．ｊｐｇ」、「Ａ３．ｊｐｇ」が順番に６０秒ずつ再生されるべきことを指示している。このように、スケジュールファイルの内容は、「表示開始時刻、表示終了時刻、再生時間、１以上の画像ファイル名」となっている。
【００４５】
画像ファイルは、スケジュールファイルで指示された画像データを内容とするファイルである。画像ファイルは、後述する店舗端末３０によるダウンロードの便宜のため、圧縮されている。画像ファイルのファイル名とファイルの内容を、以下に示す。以下は、上記スケジュールファイルに対応した画像ファイルである。
［ファイル名］＝店舗番号４桁，ディスプレイ装置番号（３桁），作成年月日時分秒（１２桁）．ｌｚｈ
［ファイルの内容］＝Ａ１．ｊｐｇ，Ａ２．ｊｐｇ，Ａ３．ｊｐｇ
【００４６】
画像ファイルに格納される画像データは以下のように作成される。すなわち、電子ＰＯＰクリエイタ１５６は、電子ＰＯＰスケジューラ１５４で作成されたディスプレイ装置毎のスケジュールのデータに指定されている商品の商品コードをキーとしてＰＯＰデータベース１５１に格納されているその商品のＰＯＰデータを選択し、該当ＰＯＰデータの販売価格を商品マスタに登録されている販売価格に変更してＰＯＰデータを編集する。編集されたＰＯＰデータは電子ＰＯＰクリエイタ１５６に内蔵されている変換モジュールによりＪＰＥＧ形式の画像に変換される。
【００４７】
次に、電子ＰＯＰクリエイタ１５６により自動生成された表示画像の例を図８に示す。図８は、図６のキャビネットによるスケジュール指定がされた場合に対応する表示画像の例である。図６のキャビネットの個別商品欄２３４に格納される６商品について、該当するＰＯＰデータがＪＰＥＧ化され、個別商品欄２３４の順序に従って６枚のＪＰＥＧ画像が生成され、６０秒間隔で順次表示される。
【００４８】
画像素材フォルダ１５７は、コンテンツ作成のための、商品に対応した単体の画像、および、画像を基に予め作成されているプレイリスト、例えば、魚のプレイリスト、魚卵のプレイリスト、野菜のプレイリスト、精肉のプレイリスト、紳士服用品のプレイリスト等が格納されているフォルダである。ここで、画像素材フォルダ１５７は、商品広告データとしての画像、プレイリストを記憶する記憶手段として機能する。
【００４９】
スケジュールファイルフォルダ１５８は、作成されたスケジュールファイルを格納するためのフォルダである。また、画像ファイルフォルダ１５９は、作成された画像ファイルを格納するためのフォルダである。例えば、これらのフォルダは表示制御装置１０のＦＴＰルート直下に作成されている。
【００５０】
電子ＰＯＰクリエイタ１５６は、定められた時刻（例えば午前３時）でのスケジュールを基に、バッチ処理を行い、当日のスケジュールファイルおよび画像ファイルを作成し、スケジュールファイルフォルダ１５８、および、画像ファイルフォルダ１５９に格納する。また、それ以外にもスケジュールが前回作成した際の内容と変更がないか、一定時間間隔にてチェックし、変更があればファイルを再作成する。変更とは、スケジュールで指定されたキャビネット内の商品データ指定の変更あるいは販売価格の変更がある場合である。販売価格の変更の有無は商品マスタ・棚／キャビネット情報データベース１５３の商品マスタＴＢＬを参照して行う。
【００５１】
次に図１において、通信部１６は、モデム、ルータ、ネットワークカード等により構成され、通信ネットワークＮに接続されて、通信ネットワークＮ上の店舗端末３０との通信を行う。
【００５２】
そして、ＣＰＵ１１は、記憶部１５に記憶されているシステムプログラムを読み出し、ＲＡＭ１３のワークエリアに展開し、該システムプログラムに従って各部を制御する。また、ＣＰＵ１１は、記憶部１５に記憶されている表示制御処理プログラムを読み出してワークエリアに展開し、各種処理を実行する。
【００５３】
ＣＰＵ１１は、表示コンテンツと当該表示コンテンツを表示する表示時間とを含み夫々に優先順位が設定された複数の表示スケジュールを設定する設定手段として機能する。
【００５４】
また、ＣＰＵ１１は、複数の表示スケジュールの表示時間に重複する重複部分がある場合、その重複部分については、各表示スケジュールに設定された優先順位に基づいて優先順位の高い表示スケジュールに設定されている表示コンテンツを表示させる最終的な表示スケジュールを決定する決定手段として機能する。また、決定手段としてのＣＰＵ１１は、複数の表示スケジュールを、各表示スケジュールに設定されている優先順位に基づいて合成することで、最終の表示スケジュールを生成する。
【００５５】
また、ＣＰＵ１１は、商品広告データに基づいて、表示コンテンツを生成する生成手段として機能する。生成手段としてのＣＰＵ１１は、印刷用ＰＯＰデータに基づいて画像ファイルを作成して表示コンテンツを生成する。また、生成手段としてのＣＰＵ１１は、表示スケジュールに基づいて複数の商品データに対応するＰＯＰデータを基に画像ファイルを作成するとともに、それらの画像ファイルによる画像の連続する順序情報および各画像の表示時間情報を含むスケジュールファイルを生成する。
【００５６】
次に、図９を参照して、店舗端末３０の機能構成を説明する。図９に示すように、店舗端末３０は、機器の全体的な制御を行うＣＰＵ（Central Processing Unit）３１と、複数の操作キーを有する入力部３２と、ＣＰＵ３１に作業用のメモリ空間を提供するＲＡＭ（Random Access Memory）３３と、表示部３４と、ＣＰＵ３１が実行する制御プログラムや制御データを格納した記憶部３５と、通信部３６と、を備える。ＣＰＵ３１、入力部３２、ＲＡＭ３３、表示部３４、記憶部３５、通信部３６は、バス３７を介して接続されている。
【００５７】
入力部３２、ＲＡＭ３３、表示部３４、通信部３６は、表示制御装置１０の入力部１２、ＲＡＭ１３と同様の構成である。
【００５８】
記憶部３５は、磁気記録媒体を有するＨＤＤ（Hard Disk Drive）、不揮発性の半導体
メモリ等により構成される。記憶部３５には、ＣＰＵ３１で実行されるシステムプログラムや店舗端末処理プログラム、これらのプログラムの実行に必要なデータ等が記憶されている。店舗端末処理プログラムには、図９に示すように、電子ＰＯＰディスプレイサーバ３５１のプログラムが含まれる。また、記憶部には、図９に示すように、ＷＥＢブラウザ３５２、ディスプレイ用スケジュールファイルフォルダ３５３、ディスプレイ用画像ファイルフォルダ３５４が設けられている。それらのプログラムは、コンピュータ読み取り可能なプログラムコードの形態で記憶部３５に格納されている。ＣＰＵ３１は、当該プログラムコードに従った動作を逐次実行する。
【００５９】
電子ＰＯＰディスプレイサーバ３５１は、各ディスプレイ装置４０の管理とコンテンツ送信を制御するプログラムである。電子ＰＯＰディスプレイサーバ３５１は表示制御装置１０からスケジュールファイルを更新した旨の通知およびスケジュールファイルを通信部３６を介して受信すると、対応する画像ファイルを表示制御装置１０から取り込み、ディスプレイ用スケジュールファイルフォルダ３５３、ディスプレイ用画像ファイルフォルダ３５４に格納する。また、電子ＰＯＰディスプレイサーバ３５１は、通信部３６を介して各ディスプレイ装置４０に対し、各装置で表示すべき画像ファイルおよびそのスケジュールファイルを送信する。
【００６０】
ＣＰＵ３１は、記憶部３５に記憶されているシステムプログラムを読み出し、ＲＡＭ３３のワークエリアに展開し、該システムプログラムに従って各部を制御する。また、ＣＰＵ３１は、記憶部３５に記憶されている店舗端末処理プログラムを読み出してワークエリアに展開し、店舗端末３０側の処理を実行する。
【００６１】
次に、図１０を参照して、ディスプレイ装置４０の機能構成を説明する。図１０に示すように、出力端末としてのディスプレイ装置４０は、ＲＡＭおよびＲＯＭを含んで構成されて機器の全体的な制御を行う制御部４１と、プレイヤ部４２と、ＬＣＤ（Liquid Crystal Display）等で構成される表示部３４と、通信ネットワークＮに接続されて、通信ネットワークＮ上の店舗端末３０との通信を行う通信部４４と、を備える。
【００６２】
プレイヤ部４２は店舗端末３０から受信した画像ファイルおよびスケジュールファイルを基に画像データを表示部４３に送出する。
【００６３】
次に、表示制御システム１の動作を説明する。
【００６４】
先ず、図１１を参照して、レイヤが指定された際の表示制御処理について説明する。レイヤが指定された際の表示制御処理とは、いずれのレイヤを表示するかを制御して最終的なスケジュールを作成する処理である。レイヤが指定された際の表示制御処理は、ＣＰＵ１１と記憶部１５に記憶されている表示制御処理プログラム（電子ＰＯＰスケジューラ１５４を含む）との協働により実行される。
【００６５】
先ず、ＣＰＵ１１は、毎日指定のレイヤのスケジュールを抽出し、本日のスケジュールに登録する（ステップＳ１）。
【００６６】
次に、ＣＰＵ１１は、本日が毎週指定のレイヤにて指定されている曜日に一致するか否か判断する（ステップＳ２）。本日が毎週指定のレイヤにて指定されている曜日に一致すると判断すると（ステップＳ２；ＹＥＳ）、ステップＳ３にて、合成処理、すなわち、毎週指定レイヤの該当する時間のスケジュールを本日のスケジュールの該当する部分に上書きする。そして、ステップＳ４に移行する。一方、本日が毎週指定のレイヤにて指定されている曜日に一致しないと判断すると（ステップＳ２；ＮＯ）、ステップＳ４に移行する。
【００６７】
次に、ＣＰＵ１１は、本日が毎月指定のレイヤにて指定されている日に一致するか否か判断する（ステップＳ４）。本日が毎月指定のレイヤにて指定されている日に一致すると判断すると（ステップＳ４；ＹＥＳ）、ステップＳ５にて、合成処理、すなわち、毎月指定レイヤの該当する時間のスケジュールを本日のスケジュールの該当する部分に上書きする。そして、ステップＳ６に移行する。一方、本日が毎月指定のレイヤにて指定されている日に一致しないと判断すると（ステップＳ４；ＮＯ）、ステップＳ６に移行する。
【００６８】
次に、ＣＰＵ１１は、本日が特定日指定のレイヤにて指定されている日に一致するか否か判断する（ステップＳ６）。本日が特定日指定のレイヤにて指定されている日に一致すると判断すると（ステップＳ６；ＹＥＳ）、ステップＳ７にて、合成処理、すなわち、特定日指定レイヤの該当する時間のスケジュールを本日のスケジュールの該当する部分に上書きする。そして、本処理を終了する。一方、本日が特定日指定のレイヤにて指定されている日に一致しないと判断すると（ステップＳ６；ＮＯ）、本処理を終了する。
【００６９】
次に、図１２を参照して表示制御装置１０により実行されるキャビネット指定時のコンテンツ自動生成処理を説明する。コンテンツ作成処理は、ＣＰＵ１１と記憶部１５に記憶されている表示制御処理プログラム（電子ＰＯＰスケジューラ１５４、電子ＰＯＰクリエイタ１５６を含む。）との協働により実行される。
【００７０】
先ず、表示制御装置１０のＣＰＵ１１は、電子ＰＯＰクリエイタ１５６において、現在時刻が再生開始日の所定時刻以降であり、かつ再生終了時刻よりも前であるか否か判断する（ステップＳ２１）。例えば、所定時刻として、再生開始時刻９時の２時間前である７時が設定されている。
【００７１】
前述のように、電子ＰＯＰクリエイタ１５６は、定められた時刻（例えば午前３時）において、コンテンツ自動生成処理を行う場合の他、電子ＰＯＰスケジューラ１５４で作成された当日のスケジュールにおけるキャビネットの内容が前回作成した際の内容と変更がないか、一定時間間隔にてチェックし、変更があればコンテンツ自動生成処理を行う。ステップＳ２１は、後者の場合に適用されるステップである。
【００７２】
ＣＰＵ１１は、現在時刻が再生開始日の所定時刻以降であり、かつ再生終了時刻よりも前であると判断すると（ステップＳ２１；ＹＥＳ）、ステップＳ２２に移行し、現在時刻が再生開始日の所定時刻以降ではなく、または、再生終了時刻よりも前でないと判断すると（ステップＳ２１；ＮＯ）、本処理を終了する。
【００７３】
次に、ＣＰＵ１１は、ステップＳ２２において、キャビネットの内容に更新があるか否か判断する。キャビネットの内容に更新がある場合とは、キャビネット内の商品指定に増減がある場合（商品データに変更がある場合）、商品の販売価格、商品名、ＰＯＰレイアウト産地などの付帯情報等に変化がある場合である。具体的には、前回のスケジュールファイル作成時刻と、キャビネットデータベース１５２および商品マスタ・棚／キャビネット情報データベース１５３、電子ＰＯＰ用データベース１５５の各テーブルの最終更新時刻とを比較しつつ、キャビネットの内容に更新があるか否か判断する。ＣＰＵ１１は、キャビネットの内容に更新があると判断すると（ステップＳ２２；ＹＥＳ）、ステップＳ２３に移行し、キャビネットの内容に更新がないと判断すると（ステップＳ２２；ＮＯ）、ステップＳ２１に戻って、一定時間経過後にステップＳ２１以降の処理を行う。
【００７４】
次に、ＣＰＵ１１は、当該キャビネットにおいて抽出条件が設定されているか否か判断する（ステップＳ２３）。抽出条件とは、例えば、企画（特売）指定、すなわち、企画商品（特売商品）のみコンテンツを作成する旨の指定、あるいは、タイムセール指定、すなわち、タイムセール商品のみコンテンツを作成する旨の指定という抽出条件である。例えば、企画（特売）指定のみ、タイムセール指定のみの抽出条件とすることもでき、企画（特売）指定およびタイムセール指定の双方を指定する抽出条件とすることもできる。
【００７５】
ＣＰＵ１１は、当該キャビネットにおいて抽出条件が設定されていると判断すると（ステップＳ２３；ＹＥＳ）、ステップＳ２４にて、その抽出条件に合致するキャビネット内の商品を抽出し（ステップＳ２４）、当該キャビネットにおいて抽出条件が設定されていないと判断すると（ステップＳ２３；ＮＯ）、ステップＳ２５にて、キャビネット内の商品を抽出する。
【００７６】
ここで、図１３、図１４を参照して、キャビネットにおいて、企画（特売）指定、タイムセール指定という抽出条件がある場合の表示例を示す。図１３は、図６と同じキャビネットを指定する表示画面２３である。図１３は、スナックキャビネットの例を示している。図１３の個別商品欄２３４には７商品が指定されている。しかし、抽出条件指定欄２３５において企画（特売）指定、タイムセール指定という抽出条件にチェックが入っているため、上から５番目の商品（レイアウト名称：タイムセール（Ｂ５））および、上から７番目の商品（レイアウト名称：月間特売（Ｂ５））のみがスケジュール化され、図１４のような表示となる。図１４では、上から５番目の商品（レイアウト名称：タイムセール（Ｂ５））および、上から７番目の商品（レイアウト名称：月間特売（Ｂ５））の画像が順に表示されることとなる。このように、キャビネットには、当該キャビネットに含まれる商品データの抽出条件に関する情報が含まれている。
【００７７】
次に、ＣＰＵ１１は、該当する商品のＰＯＰデータを画像ファイルに変換する（ステップＳ２６）。該当ＰＯＰデータの画像ファイルへの変換は、具体的には次のように行う。先ず、該当商品のＰＯＰデータをＰＯＰデータベース１５１から取得する。次に、取得したＰＯＰデータを基に商品名、販売価格、産地等の商品情報を色、フォント、サイズを調整し配置する。次に、該当ディスプレイ装置の解像度を参照してイメージファイルのサイズを調整して、ＪＰＥＧ形式のイメージファイルに変換する。サイズ調整としては、ＰＯＰデータの用紙の縦・横比率を変えずにディスプレイ装置の表示サイズに収まるようイメージファイルのサイズを調整する例、または、ＰＯＰデータの用紙の縦・横比率を変えてディスプレイ装置のフルスクリーンサイズに合わせる例等から選択することができる。
【００７８】
次に、ＣＰＵ１１は、未処理の抽出商品が残っているか否かを判断する（ステップＳ２７）。未処理の抽出商品が残っていると判断すると（ステップＳ２７；ＹＥＳ）、ステップＳ２８に移行し、未処理の抽出商品が残っていないと判断すると（ステップＳ２７；ＮＯ）、ステップＳ２９に移行する。
【００７９】
次に、ＣＰＵ１１は、処理個数がＭＡＸ商品数未満であるか否か判断する（ステップＳ２８）。電子ＰＯＰスケジューラ１５４においては、キャビネット毎にコンテンツ化する商品数の最大値（ＭＡＸ商品数）が設定できるように構成されている。ＣＰＵ１１は、処理個数がＭＡＸ商品数未満であると判断すると（ステップＳ２８；ＹＥＳ）、ステップＳ２３に移行する。処理個数がＭＡＸ商品数未満ではないと判断すると（ステップＳ２８；ＮＯ）、ステップＳ２９に移行する。
【００８０】
次に、ＣＰＵ１１は、スケジュールファイルおよび画像ファイルを作成する（ステップＳ２９）。スケジュールファイルは、店舗端末毎に圧縮されて、スケジュールファイルフォルダ１５８に格納される。画像ファイルは、前述の通り圧縮されており、画像ファイルフォルダ１５９に格納される。
【００８１】
次に、ＣＰＵ１１は、通信部１６を介して、更新が有ったと判別されて生成されたスケジュールファイルに対応する店舗端末３０に、スケジュールファイルが更新された旨の通知を行う（ステップＳ３０）。同時にスケジュールファイルを店舗端末３０に送信する。そして、ステップＳ２１に戻り、一定時間後にステップＳ１１以降の処理を行う。
【００８２】
次に、店舗端末３０により実行される処理を説明する。店舗端末３０により実行される処理は、ＣＰＵ３１と記憶部３５に記憶されている店舗端末処理プログラム（電子ＰＯＰディスプレイサーバ３５１を含む）との協働により実行される。
【００８３】
店舗端末３０のＣＰＵ３１は、表示制御装置１０からの更新通知およびスケジュールファイルを通信部３６を介して受信する。次に、ＣＰＵ３１は、対応する画像ファイルを表示制御装置１０から取り込み、ディスプレイ用画像ファイルフォルダ３５４、ディスプレイ用スケジュールファイルフォルダ３５３に格納する。また、ＣＰＵ３１は、通信部３６を介して各ディスプレイ装置４０対し、各ディスプレイ装置４０で表示すべき画像ファイルおよびそのスケジュールファイルを送信する。
【００８４】
次に、ディスプレイ装置４０により実行される処理について説明する。
【００８５】
ディスプレイ装置４０のプレイヤ部４２は、店舗端末３０から、自己のディスプレイ装置で表示すべきスケジュールファイルおよび画像ファイルを通信部４４を介して受信し、プレイリストとしてのスケジュールファイルを解釈して画像ファイルを基に表示部３４に画像を再生する。
【００８６】
図１５はディスプレイ装置４０によるコンテンツ（画像）再生の様子を示す。図１５のように、店舗には、例えば、野菜売り場５２、催事コーナー５３、棚５４、エンド陳列といった様々な場所にディスプレイ装置が設置され、コンテンツ（画像）が再生される。
【００８７】
［変形例］
図１６を参照して、変形例に係るレイヤについて説明する。図１６は、図６と同様、複数レイヤにより、最終的な表示スケジュールが決定される例を示している。レイヤとして、「毎日指定」のレイヤ、「天気：晴」のレイヤ、「天気：晴・気温３５℃以上」のレイヤ、「天気：雨」のレイヤが用意されている。表示の優先順位は、「毎日指定」のレイヤが最も低く、「天気：晴」のレイヤ、「天気：晴・気温３５℃以上」のレイヤ、「天気：雨」のレイヤの順に高くなっていく。「毎日指定」のレイヤとは、日付指定はなく、毎日、その表示スケジュールに設定されるレイヤである。「天気：晴」のレイヤとは、天気が晴であれば、その表示スケジュールに設定されるレイヤである。「天気：晴・気温３５℃以上」のレイヤとは、天気が晴・かつ、気温が３５℃以上になると、その表示スケジュールに設定されるレイヤである。「天気：雨」のレイヤとは、天気が雨になると、その表示スケジュールに設定されるレイヤである。
【００８８】
次に、レイヤの合成による最終的なスケジュールの決定方法を説明する。表示制御装置１０には、通信部１６を介して、例えば、地域天気予報情報が入手されるように構成されている。仮に、本日予報において、晴、１２時から１４時まで気温３５℃以上であると仮定する。先ず、本日は、最も優先順位の高いレイヤ「天気：雨」の表示条件に合致しない。次に、本日の２時から１４時までは、次に優先順位の高いレイヤ「天気：晴・気温３５℃以上」の表示条件に合致する。そこで、１２時から１４時までは、「天気：晴・気温３５℃以上」レイヤの設定内容が採用される。次に、本日は、次に優先順位の高いレイヤ「天気：晴」の表示条件に合致する。そこで、１２時から１４時までを除いた時間である、１１時から１２時まで、および、１４時から１７時までは、「天気：晴」のレイヤの設定内容が採用される。それ以外の時間帯である、９時から１１時、および、１７時から１９時までは、「毎日指定」のレイヤの設定内容が採用される。
【００８９】
以上のように、本実施形態に係る表示制御装置１０において、ＣＰＵ１１は、表示コンテンツと当該表示コンテンツを表示する表示時間とを含み夫々に優先順位が設定された複数の表示スケジュールを設定し、複数の表示スケジュールの表示時間に重複する重複部分がある場合、その重複部分については、各表示スケジュールに設定された優先順位に基づいて優先順位の高い表示スケジュールに設定されている表示コンテンツを表示させる最終的な表示スケジュールを決定する。
これにより、複数の条件に応じた複数のスケジュールを予め登録し、それらの条件に応じた最終的なスケジュールを自動的に決定することができる。
【００９０】
また、表示制御装置１０のＣＰＵ１１は、複数の表示スケジュールを、各表示スケジュールに設定されている優先順位に基づいて合成することで、最終の表示スケジュールを生成する。
これにより、最終的な表示スケジュール作成が容易となる。
【００９１】
また、表示制御装置１０のＣＰＵ１１は、複数の表示スケジュールには、優先順位が低いものから順に、毎日指定、曜日指定、月毎の特定日指定、特定日指定という表示スケジュールが含まれる。
これにより、毎週特定の曜日、毎月特定の日、あるいは、特定日において表示情報（販売商品、販売価格等）を異ならせるといった小売業における業務慣習に対応して、ディスプレイ装置４０の表示スケジュールを設定することができる。たとえば、毎週月曜日には、表示内容Ａの表示を行う、毎月１５日には表示内容Ｂの表示を行う、２月１４日から２月１４日まではバレンタインデー対応として表示内容Ｃの表示を行うといった設定をすることが可能となる。
【００９２】
また、表示制御装置１０は、商品広告データを記憶する記憶手段としてのＰＯＰデータベース１５１、画像素材フォルダ１５７を備え、ＣＰＵ１１は、商品広告データに基づいて、表示コンテンツを生成する。
これにより表示スケジュール用のコンテンツを容易に作成することができる。
【００９３】
また、表示制御装置１０において、商品広告データは、ＰＯＰ広告のレイアウトデータを含む印刷用ＰＯＰデータであり、ＣＰＵ１１は、印刷用ＰＯＰデータに基づいて画像ファイルを作成して表示コンテンツを生成する。
これにより、これまでに作成されていたＰＯＰデータを有効に活用して表示スケジュール用のコンテンツを生成することができる。
【００９４】
また、表示制御装置１０のＣＰＵ１１は、表示スケジュールに基づいて複数の商品データに対応するＰＯＰデータを基に画像ファイルを作成するとともに、それらの画像ファイルによる画像の連続する順序情報および各画像の表示時間情報を含むスケジュールファイルを生成する。
これにより、表示スケジュール用として、複数の画像から構成されるコンテンツを容易に生成することができる。また、コンテンツの各画像の表示態様を制御することができる。
【００９５】
なお、本発明は、上記実施の形態に限られるものではなく、様々な変更が可能である。たとえば、本実施形態では、表示制御装置１０は、ＰＯＰデータベース１５１（キャビネットデータベース１５２が格納されている。）、商品マスタ・棚／キャビネット情報データベース１５３、電子ＰＯＰ用データベース１５５、画像素材フォルダ１５７を含んで構成されている。例えば、ＰＯＰデータベース１５１（キャビネットデータベース１５２が格納されている。）、商品マスタ・棚／キャビネット情報データベース１５３、電子ＰＯＰ用データベース１５５をデータベースサーバとして構成し、画像素材フォルダ１５７を画像素材保存サーバとして構成し、電子ＰＯＰスケジューラ１５４、電子ＰＯＰクリエイタ１５６、スケジュールファイルフォルダ１５８、画像ファイルフォルダ１５９をＷＥＢサーバとして構成しても良い。その場合、データベースサーバ、画像素材保存サーバ、ＷＥＢサーバを合わせたものが１個の表示制御装置１０を構成する。
【００９６】
また、本実施形態の表示制御装置１０では、ＣＰＵ１１は、店舗端末３０にコンテンツを配信して、ディスプレイ装置４０に表示させている。ここで、スケジュールファイルを店舗端末３０に送信すること、表示制御装置１０からの更新通知により対応する画像ファイルを店舗端末３０に取り込ませることを含めて、コンテンツを配信するという。これに対して、表示制御装置１０では、ＣＰＵは、直接、ディスプレイ装置４０にスケジュールファイルおよび画像ファイルを配信してもよい。
【００９７】
また、本実施形態では、異なるキャビネットが１日のスケジュール中に指定された場合には、複数のスケジュールファイルが作成されるが、そのような場合に、１個のスケジュールファイルとすることもできる。このような場合、スケジュールファイルのファイルの内容は、次の様になる。
［ファイルの内容］＝０９００−１０００＿６０＿Ａ１．ｊｐｇ，Ａ２．ｊｐｇ，Ａ３．ｊｐｇ，・・・２０００−２１００＿６０＿Ａｋ．ｊｐｇ．
このスケジュールファイルでは、９時００分から１０時００分までの１時間は、画像「Ａ１．ｊｐｇ」、「Ａ２．ｊｐｇ」、「Ａ３．ｊｐｇ」が順番に再生されるべきことを指示している。２０時００分から２１時００分までの１時間には、画像「Ａｋ．ｊｐｇ」が再生されることになる。このように、スケジュールファイルの内容を、「表示開始時刻、表示終了時刻、１以上の画像ファイル名」を一セットとして、それらのセットを複数並べることで、１日のスケジュールファイルを１個のファイルとすることができる。
【００９８】
また、個々の画像の再生時間は、例えば、後述するディスプレイ装置４０において、例えば６０秒と決められていて、スケジュールファイルの内容での記載が省略されてもよい。また、個々の再生時間は、複数画像毎に異ならせてもよい。
【００９９】
また、電子ＰＯＰクリエイタ１５６によりＰＯＰデータはＪＰＥＧ形式にて画像化されるが、画像の形式は、ＪＰＥＧ形式に限定されず、例えば、ＢＭＰ、ＧＩＦ、ＰＮＧ等の形式であってもよい。
【０１００】
本発明の実施形態を説明したが、本発明の範囲は上述の実施の形態に限定するものではなく、特許請求の範囲に記載された発明とその均等の範囲に含まれる。以下に、本願出願の当初の特許請求の範囲に記載された発明を付記する。
［付記］
＜請求項１＞
表示コンテンツと当該表示コンテンツを表示する表示時間とを含み夫々に優先順位が設定された複数の表示スケジュールを設定する設定手段と、
前記複数の表示スケジュールの表示時間に重複する重複部分がある場合、その重複部分については、前記各表示スケジュールに設定された優先順位に基づいて優先順位の高い表示スケジュールに設定されている表示コンテンツを表示させる最終的な表示スケジュールを決定する決定手段と、
を備える表示制御装置。
＜請求項２＞  前記決定手段は、前記複数の表示スケジュールを、各表示スケジュールに設定されている優先順位に基づいて合成することで、最終の表示スケジュールを生成する請求項１に記載の表示制御装置。
＜請求項３＞
前記複数の表示スケジュールには、優先順位が低いものから順に、毎日指定、曜日指定、月毎の特定日指定、特定日指定という表示スケジュールが含まれる請求項１または２に記載の表示制御装置。
＜請求項４＞
商品広告データを記憶する記憶手段と、
前記商品広告データに基づいて、前記表示コンテンツを生成する生成手段と、
を備える請求項１〜３の何れか一項に記載の表示制御装置。
＜請求項５＞
前記商品広告データは、ＰＯＰ広告のレイアウトデータを含む印刷用ＰＯＰデータであり、
前記生成手段は、前記印刷用ＰＯＰデータに基づいて画像ファイルを作成して前記表示コンテンツを生成する請求項４に記載の表示制御装置。
＜請求項６＞
前記生成手段は、前記表示スケジュールに基づいて複数の商品データに対応するＰＯＰデータを基に画像ファイルを作成するとともに、それらの画像ファイルによる画像の連続する順序情報および各画像の表示時間情報を含むスケジュールファイルを生成する請求項５に記載の表示制御装置。
＜請求項７＞
表示制御装置のコンピュータを、
表示コンテンツと当該表示コンテンツを表示する表示時間とを含み夫々に優先順位が設定された複数の表示スケジュールを設定する設定手段、
前記複数の表示スケジュールの表示時間に重複する重複部分がある場合、その重複部分については、前記各表示スケジュールに設定された優先順位に基づいて優先順位の高い表示スケジュールに設定されている表示コンテンツを表示させる最終的な表示スケジュールを決定する決定手段、
として機能させるためのプログラム。
【符号の説明】
【０１０１】
１      表示制御システム
１０    表示制御装置
１１    ＣＰＵ（設定手段、決定手段、生成手段）
１２    入力部
１３    ＲＡＭ
１４    表示部
１５    記憶部
１５１  ＰＯＰデータベース（記憶手段）
１５２  キャビネットデータベース
１５３  商品マスタ・棚／キャビネット情報データベース
１５４  電子ＰＯＰスケジューラ
１５５  電子ＰＯＰ用データベース
１５６  電子ＰＯＰクリエイタ
１５７  画像素材フォルダ
１５８  スケジュールファイルフォルダ
１５９  画像ファイルフォルダ
１６    通信部
３０    店舗端末
３１    ＣＰＵ
３５    記憶部
３５１  電子ＰＯＰディスプレイサーバ
３５４  ディスプレイ用画像ファイルフォルダ
３５３  ディスプレイ用スケジュールファイルフォルダ
３６    通信部
４０    ディスプレイ装置
４１    制御部
４２    プレイヤ部
４３    表示部
４４    通信部
【図１】
2018133098.tif 000003
【図２】
2018133098.tif 000004
【図３】
2018133098.tif 000005
【図４】
2018133098.tif 000006
【図５】
2018133098.tif 000007
【図６】
2018133098.tif 000008
【図７】
2018133098.tif 000009
【図８】
2018133098.tif 000010
【図９】
2018133098.tif 000011
【図１０】
2018133098.tif 000012
【図１１】
2018133098.tif 000013
【図１２】
2018133098.tif 000014
【図１３】
2018133098.tif 000015
【図１４】
2018133098.tif 000016
【図１５】
2018133098.tif 000017
【図１６】
2018133098.tif 000018
【手続補正書】
【提出日】平成30年4月27日(2018.4.27)
【手続補正２】
【補正対象書類名】明細書
【補正対象項目名】０００１
【補正方法】変更
【補正の内容】
【０００１】
本発明は、出力制御装置に関する。
【手続補正３】
【補正対象書類名】明細書
【補正対象項目名】０００６
【補正方法】変更
【補正の内容】
【０００６】
請求項１の出力制御装置は、表示コンテンツと、当該表示コンテンツを表示する表示時間帯と、優先順位が設定された表示条件とが対応した複数の表示スケジュールを設定する設定手段と、環境条件を外部から取得する取得手段と、前記複数の表示スケジュールの表示時間帯に重複する重複部分がある場合、その重複部分については、取得した前記環境条件と前記表示条件とが合致した前記表示条件の優先順位に基づいて優先順位の高い表示スケジュールに設定されている表示コンテンツを表示させるように決定する決定手段とを備えたことを特徴とする。
【手続補正４】
【補正対象書類名】特許請求の範囲
【補正対象項目名】全文
【補正方法】変更
【補正の内容】
【特許請求の範囲】
【請求項１】
表示コンテンツと、当該表示コンテンツを表示する表示時間帯と、優先順位が設定された表示条件とが対応した複数の表示スケジュールを設定する設定手段と、
環境条件を外部から取得する取得手段と、
前記複数の表示スケジュールの表示時間帯に重複する重複部分がある場合、その重複部分については、取得した前記環境条件と前記表示条件とが合致した前記表示条件の優先順位に基づいて優先順位の高い表示スケジュールに設定されている表示コンテンツを表示させるように決定する決定手段と、
を備える出力制御装置。
【請求項２】
前記環境条件は、通信手段を介して外部から取得される、
ことを特徴とする請求項１に記載の出力制御装置。
【請求項３】
前記環境条件は、天気条件、又は気温条件を含む、
ことを特徴とする請求項２記載の出力制御装置。